(57)【要約】【課題】異なる種類の球を使用した場合であっても、これらの球を容易に分別回収することにより、ビリヤードとボーリングの特徴を兼ね備えたゲームを繰り返し手軽に楽しめる遊戯システムを提供する。【解決手段】  上記課題を解決するため、遊戯装置１と球種分別器１０を備えた遊戯システムであって、上記遊戯装置１は、台２と、上記台２上に設けられ、ターゲットとなるピンポン球Ｂｔを転がらないよう静置させるターゲット配置部７と、上記台２の一端に着脱可能な状態で連結され、上記ピンポン球Ｂｔ及び上記台２上で突かれたビリヤード球Ｂｂを回収するための孔Ｈ１が穿設された回収部３を含み、上記球種分別器１０は、上記孔Ｈ１の中に落下した両方の球を転がす傾斜面を有するレール１３と、上記傾斜面に設けられ、ピンポン球Ｂｔは上記傾斜面上で転がす一方、ビリヤード球Ｂｂは重みにより落下させる球種分別アダプタＡＤを含む遊戯システムを提供する。【選択図】図２
2020005729.tif 000002
【特許請求の範囲】
【請求項１】
遊戯装置と球種分別器を備えた遊戯システムであって、
前記遊戯装置は、
第１及び第２の球が転がる面を有する台と、
前記面内に設けられ、ターゲットとなる前記第１の球を転がらないよう静置させるターゲット配置部と、
前記台の一端に着脱可能な状態で連結され、プレイヤーにより突かれた前記第２の球が衝突することにより弾かれた前記ターゲット配置部に静置された前記第１の球、及び前記突かれた前記第２の球を回収するための孔が穿設された回収部を含み、
前記球種分別器は、
前記孔の中に落下した前記第１及び第２の球を転がす傾斜面を有するレールと、
前記傾斜面に設けられ、前記第１の球は前記傾斜面上で転がす一方、前記第２の球は重みにより落下させる球種分別アダプタを含む、遊戯システム。
【請求項２】
前記回収部は、前記台の一方の側面に向かって傾斜された底面を有する回収レーンを含み、前記底面のうち前記側面の近傍の位置に前記孔が穿設された、請求項１に記載の遊戯システム。
【請求項３】
前記球種分別器は、
前記孔の中に入った前記第１及び第２の球を前記球種分別アダプタ上に落下させる球受部と、
前記傾斜面を転がることにより前記レールの一端から落下した前記第１の球を格納する第１の格納部と、
前記球種分別アダプタを通って前記球種分別アダプタの直下に落下した前記第２の球を格納する第２の格納部をさらに含む、請求項１に記載の遊戯システム。
【請求項４】
前記第１及び第２の格納部は、それぞれ、
外縁に向かって下方へ傾斜した底面と、
前記外縁において手動により開閉できる取出部を有する、請求項３に記載の遊戯システム。
【請求項５】
前記球種分別器は、前記球受部、前記レール、前記第１及び第２の格納部を一体的に移動させる移動部をさらに含む、請求項３に記載の遊戯システム。
【請求項６】
前記球種分別アダプタは、放射状に切れ込みが入れられた薄膜、刷毛、櫛状に切断された弾性板、弦巻バネにより回動する金属線若しくは底板、のいずれか一つからなる、請求項１に記載の遊戯システム。
【請求項７】
前記薄膜は、前記傾斜面上に貼付され、
前記金属線は、前記傾斜面より高い位置に設けられた、請求項６に記載の遊戯システム。
【請求項８】
第１及び第２の球が転がる面を有する台と、
前記面内に設けられ、ターゲットとなる前記第１の球を転がらないよう静置させるターゲット配置部と、
プレイヤーにより突かれた前記第２の球が衝突することにより弾かれた前記ターゲット配置部に静置された前記第１の球、及び前記突かれた前記第２の球を回収し、前記台の一端に着脱可能な状態で連結された回収部を備え、
前記回収部の底面には、前記第２の球が入る一方、前記第１の球は入らない大きさの孔が穿設された遊戯装置。
【請求項９】
前記底面は前記台の一方の側面に向かって下方へ傾斜され、前記孔は前記底面のうち前記側面の近傍の位置において穿設された、請求項８に記載の遊戯装置。
【請求項１０】
前記回収部は、前記孔の中に落下した前記第２の球を直下に落とすため下方に延伸されたガイド部をさらに備えた、請求項９に記載の遊戯装置。
【請求項１１】
前記孔は、前記底面に形成され前記第１の球の直径より大きな幅を持った溝と、前記溝の幅を調整できる調整板により形成された、請求項８に記載の遊戯装置。
【発明の詳細な説明】
【技術分野】
【０００１】
本発明は、台の上でビリヤードとボーリングを兼ね合わせたゲームを楽しむことのできる遊戯システム及び遊戯装置に係るものである。
【背景技術】
【０００２】
これまで、特許文献１に示されるように、ターゲットとなるセット玉に殴打玉を当てることにより、弾いた玉の数を競うという、ビリヤードの面白さを残した遊技機が考案されている。
【先行技術文献】
【特許文献】
【０００３】
【特許文献１】特開２０００−２２９１４２号公報
【発明の概要】
【発明が解決しようとする課題】
【０００４】
しかし、上記遊技機においては、特許文献１の段落［００７２］及び段落［００７３］に示されているように、殴打玉とセット玉に同種の玉を使用することによって殴打玉とセット玉を区別せずに回収できるようにしているため、殴打玉とセット玉で異なる種類の玉を使用した場合には、これらを分別回収できないという課題がある。
【０００５】
本発明は、上記のような課題を解決するためになされたもので、プレイヤーが弾く球とターゲットになる球とで異なる種類の球を使用した場合であっても、これらの球を容易に分別回収することにより、ビリヤードとボーリングの特徴を兼ね備えたゲーム（以下「本ゲーム」という。）を繰り返し手軽に楽しむことのできる遊戯システム及び遊戯装置を提供することを目的とする。
【課題を解決するための手段】
【０００６】
本発明は上記課題を解決するため、遊戯装置と球種分別器を備えた遊戯システムであって、上記遊戯装置は、第１及び第２の球が転がる面を有する台と、上記面内に設けられ、ターゲットとなる第１の球を転がらないよう静置させるターゲット配置部と、上記台の一端に着脱可能な状態で連結され、プレイヤーにより突かれた第２の球が衝突することにより弾かれたターゲット配置部に静置された第１の球、及び突かれた第２の球を回収するための孔が穿設された回収部を含み、上記球種分別器は、上記孔の中に落下した第１及び第２の球を転がす傾斜面を有するレールと、上記傾斜面に設けられ、第１の球は上記傾斜面上で転がす一方、第２の球は重みにより落下させる球種分別アダプタを含む遊戯システムを提供する。
【０００７】
また、本発明は上記課題を解決するため、第１及び第２の球が転がる面を有する台と、上記面内に設けられ、ターゲットとなる１の球を転がらないよう静置させるターゲット配置部と、プレイヤーにより突かれた第２の球が衝突することにより弾かれたターゲット配置部に静置された第１の球、及び突かれた第２の球を回収し、上記台の一端に着脱可能な状態で連結された回収部を備え、回収部の底面には、第２の球が入る一方、第１の球は入らない大きさの孔が穿設された遊戯装置を提供する。
【発明の効果】
【０００８】
本発明に係る遊戯システム及び遊戯装置によれば、プレイヤーが弾く球とターゲットになる球とで異なる種類の球を使用した場合であっても、これらの球を容易に分別回収できるため、本ゲームを繰り返し手軽に楽しむことができる。
【図面の簡単な説明】
【０００９】
【図１】本発明の実施の形態１に係る遊戯装置１の構成を示す平面図である。
【図２】本発明の実施の形態１に係る遊戯システムについて、図１に示された回収部３のＡ１−Ａ１線での断面構造及び、回収部３の下に配設された球種分別器１０の断面構成を示した図である。
【図３】図１に示された回収部３の構成を示す側面図である。
【図４】図２に示された球種分別アダプタＡＤの構成を示す平面図であり、それぞれ、図４（ａ）は薄膜２２を用いた第１の実施例、図４（ｂ）は刷毛２３を用いた第２の実施例、図４（ｃ）は櫛状板２４を用いた第３の実施例を示す。
【図５】図２に示された球種分別アダプタＡＤの第４の実施例を示す図であり、それぞれ、図５（ａ）は平面図、図５（ｂ）は図５（ａ）に示されたＡ２−Ａ２線において矢印方向に見たときの構造を示す断面図である。
【図６】図２に示された球種分別アダプタＡＤの第５の実施例を示す平面図である。
【図７】本発明の実施の形態２に係る遊戯装置における回収部３０の断面構成を示す断面図である。
【図８】図７に示された回収部３０に形成された孔Ｈ３の構成を示す平面図であり、それぞれ、図８（ａ）は底面ＰＢに孔Ｈ３が穿設された実施例、図８（ｂ）は底面ＰＢに設けられた溝Ｇを用いて孔Ｈ３が形成された他の実施例を示す。
【発明を実施するための形態】
【００１０】
以下において、本発明の実施の形態を図面を参照しつつ詳しく説明する。なお、図中同一符号は同一又は相等部分を示す。
【００１１】
［実施の形態１］
図１は、本発明の実施の形態１に係る遊戯装置１の構成を示す平面図である。
最初に、図１を参照しつつ、遊戯装置１を使用して行われる本ゲームの内容について説明する。
【００１２】
本ゲーム開始前の準備として、図１に示されるように、例えば汎用されている卓球台の表面の一方の端に、ターゲットとなるボーリングのピンの替わりに卓球で通常使用されるピンポン球Ｂｔを例えば１０個静置し、上記表面の他端にビリヤード球Ｂｂを例えば１１個静置する。
【００１３】
ここで、ビリヤード球Ｂｂとしては、直径が３８ミリメートルの家庭用の小球を利用するのが好適である。
【００１４】
このような準備を終えた後にゲーム開始となるが、プレイヤーは上記１１個のビリヤード球Ｂｂのうちいずれかを選択し、選択した上記ビリヤード球Ｂｂを矢印のように上記ピンポン球Ｂｔへ向けてキューで突き、卓球台の表面上を転がるビリヤード球Ｂｂを上記ピンポン球Ｂｔに衝突させてピンポン球Ｂｔを卓球台から弾き落とす試技を行う。
【００１５】
ここで、プレイヤーは、上記１０個の全てのピンポン球Ｂｔが卓球台から落ちるまで順次上記ビリヤード球Ｂｂを突いて上記試技を行う。なお、これから突こうとしているビリヤード球Ｂｂを、既に突いたビリヤード球Ｂｂが静置されていた位置に動かしてもよいといったルールを採用しても良い。
【００１６】
そして、全ての上記ピンポン球Ｂｔが卓球台から落ちた時点で卓球台の上に突かれることなく静置されたまま残存している上記ビリヤード球Ｂｂの数が当該プレイヤーの得点となる。なお、１個のビリヤード球Ｂｂを突いて上記１０個の全てのピンポン球Ｂｔを卓球台から落とすという、いわゆるボーリングで言うところのストライクを達成した場合には、ボーナス点として１０点を加点するとのルールを採用しても良い。
【００１７】
従って、このようなルールを採用した場合には、例えば、一回の試技、すなわち１個のビリヤード球Ｂｂを突いただけで上記１０個の全てのピンポン球Ｂｔを卓球台から落とした場合には、当該プレイヤーの得点は２０点となる。
【００１８】
このように、本ゲームでは、予め配置された全てのピンポン球Ｂｔをできるだけ少ない回数の上記試技により卓球台から落としたプレイヤーが多くの得点を得ることになり、プレイヤー同士で本得点を競って得点の多い者が勝ちとなる。
【００１９】
以下において、図１から図６を参照しつつ、上記のような本ゲームを行うために使用される本発明の実施の形態１に係る遊戯システムについて詳しく説明する。なお、本遊戯システムは、遊戯装置１と球種分別器１０の組合せにより構成される。
【００２０】
図１に示されるように、遊戯装置１は、ピンポン球Ｂｔ及びビリヤード球Ｂｂが転がる面を有する台２と、上記面上の一方の端に設けられ上記ビリヤード球Ｂｂを転がらないよう静置させる打球配置部６と、上記面上の他端に設けられターゲットとなるピンポン球Ｂｔを転がらないよう静置させるターゲット配置部７と、上記他端において台２と着脱可能な状態で連結され、ピンポン球Ｂｔ及びビリヤード球Ｂｂを底面ＰＢに穿設された孔Ｈ１（図１の斜線部）に落下させることにより回収する回収部３と、台２の両側面に付設された落下防止部４を備える。
【００２１】
図２は、図１に示された回収部３のＡ１−Ａ１線での断面構造及び、回収部３の下に配設された球種分別器１０の断面構成を示した図である。
【００２２】
図２に示されるように、回収部３は、台２の一方の側面、すなわち図１においては向かって左側の側面が下方になるよう傾斜された底面ＰＢを有する回収レーンを含み、本回収レーンには、上記側面の近傍の位置において上記孔Ｈ１が穿設されている。なお、孔Ｈ１は、上記ビリヤード球Ｂｂ及びピンポン球Ｂｔが共に入る大きさを有する。
【００２３】
次に、上記球種分別器１０は、図２に示されるように、孔Ｈ１の中に落下したピンポン球Ｂｔ及びビリヤード球Ｂｂを転がす傾斜面を有するレール１３と、上記傾斜面に設けられ、ピンポン球Ｂｔは上記傾斜面上で転がす一方、ビリヤード球Ｂｂは重みにより落下させる球種分別アダプタＡＤを含む。なお、レール１３は支柱１１に係合されている。
【００２４】
また、球種分別器１０はさらに、支柱１１に係合され、孔Ｈ１の中に入ったピンポン球Ｂｔ及びビリヤード球Ｂｂを球種分別アダプタＡＤ上に落下させるためのカップ状の球受部１２と、上記傾斜面を転がることによりレール１３の一端から落下したピンポン球Ｂｔを格納する第１の格納室１４ｔと、球種分別アダプタＡＤを通って球種分別アダプタＡＤの直下に落下したビリヤード球Ｂｂを格納する第２の格納室１４ｂを含む。
【００２５】
なお、第１及び第２の格納室１４ｔ，１４ｂは仕切り板（図示していない）により隔てられ、上記支柱はこの仕切り板を二等分する鉛直線をなすように二つの格納室１４ｔ，１４ｂの中央部に設置されている。
【００２６】
また、上記第１及び第２の格納室１４ｔ，１４ｂはそれぞれ外縁、すなわち例えば図２の左右方向、に向かって下方へ傾斜した底面ｂｐと、上記外縁において手動により上下方向に開閉できる取出部１５を有する。
【００２７】
また、球種分別器１０は、上記支柱１１、球受部１２、レール１３、及び二つの格納室１４ｔ，１４ｂを一体的に移動させるため、格納室１４ｔ，１４ｂの底部の四隅に配設されたストッパー付きキャスター１６をさらに含む。
【００２８】
図３は、図１に示された回収部３の構成を示す側面図である。図３に示されるように、回収部３は、台２に取り付けられた金具１７と、金具１７にピン１９の周りで回動するよう連結されると共にひねり部ＴＷを有し、後述する回収レーン２０を支持する支持用帯状金具１８と、支持用帯状金具１８に接合され、上記孔Ｈ１が穿設された半円筒状の底面を有すると共に、ピンポン球Ｂｔ及びビリヤード球Ｂｂを孔Ｈ１へ向かって転がす回収レーン２０と、台２に固着された磁石Ｍを用いて回収部３を台２と着脱可能な状態で連結させるために支持用帯状金具１８に固着された鉄片２１とにより構成される。なお、図３においては、回収レーン２０の底面上を転がるピンポン球Ｂｔ若しくはビリヤード球Ｂｂが球Ｂとして示され（以下同様）、球Ｂが台２から回収レーン２０の底面に転がり落ちて孔Ｈ１の中に入り、落下する様子が矢印で図示されている。
【００２９】
図４から図６は、図２に示された球種分別アダプタＡＤの構成を示す図である。ここで、球種分別アダプタＡＤは、上記のように、ピンポン球Ｂｔをレール１３上で転がす一方、重みのあるビリヤード球Ｂｂをレール１３の下へ落下させる機能を持つものである。従って、球種分別アダプタＡＤとしては、ピンポン球Ｂｔが球種分別アダプタＡＤの上に載置された場合にはレール１３の底面の一部を構成すると共に、ビリヤード球Ｂｂが球種分別アダプタＡＤの上に載置された場合にはビリヤード球Ｂｂの重みにより下方へ向かって開口する構造が好適である。以下、図４から図６を参照しつつ、球種分別アダプタＡＤについて詳しく説明する。
【００３０】
球種分別アダプタＡＤは、例えば図４（ａ）に示されるように、シリコンゴムやウレタンゴム等の弾力があるゴム板に中心点から放射状に切れ込みを入れた薄膜２２を、レール１３の底面に穿設された孔Ｈ２上に貼付することにより構成することができる。
【００３１】
また、球種分別アダプタＡＤは、図４（ｂ）に示されるように、刷毛２３が孔Ｈ２の直下に配設されるようレール１３の裏側に刷毛２３を固着させることにより構成しても良い。
【００３２】
また、球種分別アダプタＡＤは、図４（ｃ）に示されるように、弾性がある金属板や異種材料接着板等に櫛状の切れ込みを入れた櫛状板２４が孔Ｈ２の直下に配設されるようレール１３の裏側に櫛状板２４を固着させることにより構成しても良い。
【００３３】
図５は、球種分別アダプタＡＤの他の実施例を示す図であり、それぞれ、図５（ａ）は平面図、図５（ｂ）は図５（ａ）に示されたＡ２−Ａ２線において矢印方向に見たときの構造を示す断面図である。
【００３４】
図５に示されるように、球種分別アダプタＡＤは、孔Ｈ２が穿設された底面を有し断面構造が半弧状であるレール１３と、レール１３の裏側に配設された回転軸２５と、回転軸２５に巻かれた弦巻バネ２６ａと、弦巻バネ２６ａに接続され孔Ｈ２の中を横断するよう配線された針金２６ｂを含む。
【００３５】
ここで、針金２６ｂは質量が小さい物であるため、ビリヤード球Ｂｂが孔Ｈ２の中に落下して下方へ回動した直後に弦巻バネ２６ａにより元の位置に戻り易い点で好適である。しかし、針金２６ｂを孔Ｈ２の直下に配線すると、ピンポン球Ｂｔが孔Ｈ２の所に生じた窪みに嵌まり、転がってきたピンポン球Ｂｔが孔Ｈ２の所で止まってしまう。このため、図５（ｂ）に示されるように、ピンポン球Ｂｔが孔Ｈ２の所で下方へ沈まないよう、針金２６ｂは予めレール１３の底面より高い位置に配線される。
【００３６】
また、球種分別アダプタＡＤは、図６に示されるように、図５に示された針金２６ｂの替わりに、弦巻バネ２６ａで回転軸２５の周りを回動する底板２７を孔Ｈ２の直下に配設することにより構成しても良い。底板２７は、ビリヤード球Ｂｂが孔Ｈ２の中に入った場合だけ、その重みにより回転軸２５の周りで下方へ回動する。このため、ビリヤード球Ｂｂだけ孔Ｈ２の直下に落ちるが、その直後には底板２７は弦巻バネ２６ａの作用により元の位置に戻ってレール１３の底面の一部を構成することになる。
【００３７】
なお、図１において、ターゲット配置部７は、上記のように、ターゲットとなるピンポン球Ｂｔを静置させる機能を有するが、摩擦係数が台２の表面の摩擦係数より大きく、ピンポン球Ｂｔが転がらない大きさである目の粗い布等からなる、台２の表面に敷設された円形状のシートにより構成される。
【００３８】
ターゲット配置部７が上記のような構成を有するため、例えば汎用されている卓球台を台２として使用する場合には、当該卓球台の表面上に上記シートを置くだけで手軽に本ゲームを楽しむ機会を提供することができる。
【００３９】
次に、打球配置部６は、上記のように、キューなどで図１に示された矢印の方向へ打ち出すビリヤード球Ｂｂを転がらないよう静置する機能を有するが、ターゲット配置部７と同様に、摩擦係数が台２の表面の摩擦係数より大きく、ビリヤード球Ｂｂが転がらない大きさである布、ゴム、人工芝等の樹脂などからなり、台２の表面に敷設された長方形のシートにより構成される。
【００４０】
打球配置部６は上記のような構成を有するため、ターゲット配置部７と同様に、汎用されている卓球台を台２として使用する場合には、当該卓球台の表面上に上記シートを置くだけで手軽に本ゲームを楽しむ機会を提供することができる。
【００４１】
また、図１に示された落下防止部４は台２の両側面に付設され、ビリヤード球Ｂｂが衝突することにより弾かれたピンポン球Ｂｔ、及びプレイヤーにより突かれたビリヤード球Ｂｂが台２から落ちることを防ぐ機能を有する。
【００４２】
ここで、落下防止部４は、図３に示された回収部３と同様に台２に着脱可能に係合される。
【００４３】
以上より、本発明の実施の形態１に係る遊戯装置１によれば、回収部３及び回収部４は簡素な構成を有し、汎用されている卓球台に容易に取り付けることができるため、身近にある卓球台を本ゲーム用の台２として利用することができる。
【００４４】
また、上記のように本ゲーム用の台２として卓球台を使用した後、回収部３と落下防止部４を台２から離脱させて台２の下方へ回動させることにより、プレイヤーは台２の上で容易に通常の卓球を行うことができる。このことから、図１に示された一台の遊戯装置１により、手軽に通常の卓球と本ゲームの両方を楽しむ機会を万人に提供することができる。
【００４５】
さらに、図２に示された球種分別器１０を上記遊戯装置１と組み合わせた本発明の実施の形態１に係る遊戯システムによれば、本ゲームで使用されるビリヤード球Ｂｂとピンポン球Ｂｔという種類の異なる球を容易に分別回収することができるため、本ゲームを繰り返し楽しむ際の便宜を図ることができる。
【００４６】
［実施の形態２］
本発明の実施の形態２に係る遊戯装置５０は、上記実施の形態１に係る遊戯装置１と同様の構成を有するため、構成が同じ部分の説明は省略し、以下においては構成が異なる部分についてのみ説明する。
【００４７】
図７は、上記遊戯装置５０における回収部３０の断面構成を示す断面図である。図７に示されるように、回収部３０の底面ＰＢは台２の一方の側面、すなわち図７においては右側、に向かって下方へ傾斜され、底面ＰＢのうち上記側面の近傍の位置において孔Ｈ３が穿設されている。そして、この孔Ｈ３は、ビリヤード球Ｂｂが入る一方、ピンポン球Ｂｔは入らない大きさを有する。
【００４８】
また、回収部３０は、孔Ｈ３の中に落下したビリヤード球Ｂｂを直下に落とすため、下方に延伸された半円筒状の飛出し防止カバー２８からなるガイド部をさらに備える。
【００４９】
図８は、図７に示された回収部３０に形成された孔Ｈ３の構成を示す平面図であり、それぞれ、図８（ａ）は底面ＰＢに孔Ｈ３が穿設された実施例、図８（ｂ）は底面ＰＢに設けられた溝Ｇを用いて孔Ｈ３が形成された他の実施例を示す。
【００５０】
孔Ｈ３は、図８（ａ）に示されるように、回収部３０の底面ＰＢにおいて斜線部で示されるように穿設する他、図８（ｂ）に示されるように、同様の大きさの孔Ｈ３を、底面ＰＢに形成されたピンポン球Ｂｔの直径より大きな幅を持った溝Ｇと、留めネジ３２で回収部３０に付設された溝Ｇの幅を調整できる溝幅調整板３１により形成するようにしても良い。
【００５１】
以上より、本発明の実施の形態２に係る遊戯装置５０によれば、このように簡易な構成により、図７の矢印で示されるように、大きさが相対的に小さなビリヤード球Ｂｂを孔Ｈ３の直下に落下させると共に、大きさが相対的に大きなピンポン球Ｂｔを回収部３０の先端から落下させることができるため、ユーザが孔Ｈ３及び上記先端の下に別個若しくは仕切りの付いた一体型の回収箱（図示していない）を設置することにより、ビリヤード球Ｂｂとピンポン球Ｂｔを容易に分別回収することができる。
【００５２】
このことから、本発明の実施の形態２に係る遊戯装置５０によっても、汎用されている卓球台を使用して本ゲームを繰り返し手軽に楽しむ機会を万人に提供することができる。
【符号の説明】
【００５３】
１，５０  遊戯装置、２  台、３，３０  回収部、７  ターゲット配置部、１０  球種分別器、１１  支柱、１２  球受部、１３  レール、１４ｔ，１４ｂ  格納室、１５  取出部、１６  ストッパー付キャスター、１７  金具、１８  支持用帯状金具、１９  ピン、２０  回収レーン、２１  鉄片、２２  薄膜、２３  刷毛、２４  櫛状板、２５  回転軸、２６ａ  弦巻バネ、２６ｂ  針金、２７  底板、２８  飛出防止カバー、３１  溝幅調整板、３２  留めネジ、ＰＢ，ｂｐ  底面、Ｈ１〜Ｈ３  孔、Ｍ  磁石、ＴＷ  ひねり部、ＡＤ  球種分別アダプタ、Ｇ  溝。
【図１】
2020005729.tif 000003
【図２】
2020005729.tif 000004
【図３】
2020005729.tif 000005
【図４】
2020005729.tif 000006
【図５】
2020005729.tif 000007
【図６】
2020005729.tif 000008
【図７】
2020005729.tif 000009
【図８】
2020005729.tif 000010
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
遊戯装置と球種分別器を備えた遊戯システムであって、
前記遊戯装置は、
第１及び第２の球が転がる面を有する台と、
前記面内に設けられ、ターゲットとなる前記第１の球を転がらないよう静置させるターゲット配置部と、
前記台の一端に着脱可能な状態で連結され、プレイヤーにより突かれた前記第２の球が衝突することにより弾かれた前記ターゲット配置部に静置された前記第１の球、及び前記突かれた前記第２の球を回収するための孔が穿設された回収部を含み、
前記球種分別器は、
前記孔の中に落下した前記第１及び第２の球を転がす傾斜面を有するレールと、
前記傾斜面に設けられ、前記第１の球は前記傾斜面上で転がす一方、前記第２の球は重みにより落下させる球種分別アダプタを含む、遊戯システム。
【請求項２】
前記回収部は、前記台の一方の側面に向かって傾斜された底面を有する回収レーンを含み、前記底面のうち前記側面の近傍の位置に前記孔が穿設された、請求項１に記載の遊戯システム。
【請求項３】
前記球種分別器は、
前記孔の中に入った前記第１及び第２の球を前記球種分別アダプタ上に落下させる球受部と、
前記傾斜面を転がることにより前記レールの一端から落下した前記第１の球を格納する第１の格納部と、
前記球種分別アダプタを通って前記球種分別アダプタの直下に落下した前記第２の球を格納する第２の格納部をさらに含む、請求項１に記載の遊戯システム。
【請求項４】
前記第１及び第２の格納部は、それぞれ、
外縁に向かって下方へ傾斜した底面と、
前記外縁において手動により開閉できる取出部を有する、請求項３に記載の遊戯システム。
【請求項５】
前記球種分別器は、前記球受部、前記レール、前記第１及び第２の格納部を一体的に移動させる移動部をさらに含む、請求項３に記載の遊戯システム。
【請求項６】
前記球種分別アダプタは、放射状に切れ込みが入れられた薄膜、刷毛、櫛状に切断された弾性板、弦巻バネにより回動する金属線若しくは底板、のいずれか一つからなる、請求項１に記載の遊戯システム。
【請求項７】
前記薄膜は、前記傾斜面上に貼付され、
前記金属線は、前記傾斜面より高い位置に設けられた、請求項６に記載の遊戯システム。